(57)【要約】【課題】この発明は、複数の部材をボルトにより接続する技術であって、接続部分が繰り返し荷重を受けても破損しにくい強固な接続技術を提供することを目的とする。【解決手段】ボルト３が入る穴を構成する円柱面状の内周側面２５と、円錐面状の外周側面２４とを有し、前記内周側面２５には環状の溝また山が設けられている座金２であって、複数の部分部材２１に分割されており、この部分部材２１を組合わせたときに部分部材同士の間に間隙が生じることを特徴とする座金２によって、上述の目的を達成する。【選択図】図１
2004278766.tif 000002
【特許請求の範囲】
【請求項１】
ボルトが入る穴を構成する円柱面状の内周側面と、円錐面状の外周側面とを有し、前記内周側面には環状の溝また山が設けられている座金であって、複数の部分部材に分割されており、この部分部材を組合わせたときに部分部材同士の間に間隙が生じることを特徴とする座金。
【請求項２】
ボルトと座金より構成される締結部材であって、ボルトはネジ部と頭部の間に環状の溝また山が設けられているものであり、座金は、前記ボルトが入る穴を構成する円柱面状の内周側面と、円錐面状の外周側面とを有し、前記内周側面にはボルトの溝または山と係合する環状の溝また山が設けられていて、複数の部分部材に分割されており、この部分部材を前記ボルトの外周にて組合わせたときに部分部材同士の間に間隙が生じることを特徴とする締結部材。
【請求項３】
オスカップリングとメスカップリングおよびこのオスカップリングとメスカップリングを締結するボルトと座金を有する建設機械の回転軸の接続装置であって、オスカップリングの内壁の一部およびメスカップリングの外壁の一部は相互に接する非円柱面状の合わせ面を有し、メスカップリングには前記ボルトが入るネジ穴が設けられており、オスカップリングには前記ネジ穴と同軸に通し穴が設けられており、この通し穴には外周側の入口に外側に開くテーパー面があるのもであり、ボルトはネジ部と頭部の間に環状の溝また山が設けられているものであり、座金は、前記ボルトが入る穴を構成する円柱面状の内周側面と、前記通し穴のテーパー面と係合する円錐面状の外周側面とを有し、前記内周側面にはボルトの溝または山と係合する環状の溝また山が設けられていて、複数の部分部材に分割されており、この部分部材を前記ボルトの外周にて組合わせたときに部分部材同士の間に間隙が生じることを特徴とする建設機械の回転軸の接続装置。
【請求項４】
前記合わせ面が平面である請求項３に記載の建設機械の回転軸の接続装置。
【発明の詳細な説明】
【０００１】
【発明の属する技術分野】本発明は、複数の部材を接続する技術に関するものであり、特に建設機械の回転軸の接続装置に関するものである。
【０００２】
【従来の技術】特許文献１には先導管と軸体と軸体の周囲に取り付けられたらせん状羽根を有し、この軸体でらせん状羽根が取り付けられる部分は軸方向に沿って中央部が太く両端部が細くなるように構成され、らせん状羽根の上面および下面に爪を設けた土壌掘削工具を回転させ、かつ先導管より圧縮空気を噴出しながら土壌を掘削し、所定の深さに達した後に土壌掘削工具を逆回転させて土壌を撹拌させながららせん状羽根部よりセメントミルクを注入して土壌とセメントミルクを混合させ、土壌中に改良体を造成することにより、地上にセメントミルクを含む排泥を発生させず、環境問題を引き起こすことなく軟弱地盤の改良工事を実現することが記載されている。
【０００３】この土壌掘削工具を回転可能に支持するとともに空気やセメントミルクを外部から供給するために、スイベルや中間ロッドが使用されるが、スイベルと中間ロッド、中間ロッド同士、および中間ロッドと土壌掘削工具の接続には、特別な接続装置を用いることが記載されている。すなわち、土木機械の回転軸の接続装置であって、二重管である前記回転軸の内管同士および内管と外管の間の空間同士が流体が通過可能に接続される通路を有し、かつ接続された回転軸間の相対的な回転を防止する回転防止機構が設けられている土木機械の回転軸の接続装置である。オスカップリングとメスカップリングの組み合わせにより構成され、オスカップリングの内壁の一部およびメスカップリングの外壁の一部は断面が四角の形状となっており、当該四角面が合わせ面として相互に接する。
【０００４】
【特許文献１】国際公開第０３／００６７８５号パンフレット
【０００５】
【発明が解決しようとする課題】特許文献１に記載の土壌掘削工具は正逆どちらの回転時においても土壌の撹拌を行うものであるが、特許文献１に記載の接続装置は正逆どちらの回転方向においても緩まないように回転軸を接続できるものである。また、回転軸を通して空気やセメントミルクを外部から供給するためにも特に有効な接続装置である。
【０００６】一方、軸方向のずれについては、オスカップリングとメスカップリングをボルトによって締結することで防止している。このためメスカップリングにはネジ穴が、オスカップリングは通し穴が設けられており、これらの穴にボルトを通すようになっている（たとえば、特許文献１の図７）。従って、土壌掘削工具の上下動による荷重はこのボルトにより受けることになる。ここで、上下動による荷重が繰り返されるとオスカップリングの通し穴は上下方向に少しずつ広げられていく可能性がある。そのためにボルトを軸に対して直角に保持することができなくなり、ボルトは上下に振り回されるようになり、最終的にはボルトが破断して接続が維持できなくなる。特許文献１の接続装置は通常の土壌における使用には十分耐えるものであるが、硬い土壌での施行や、より高速での使用のために、接続装置の強度のさらなる向上が求められる。この発明は、複数の部材をボルトにより接続する技術であって、接続部分が繰り返し荷重を受けても破損しにくい強固な接続技術を提供することを目的とする。
【０００７】
【課題を解決するための手段】上述の目的を達成するために、本発明の座金は、ボルトが入る穴を構成する円柱面状の内周側面と、円錐面状の外周側面とを有し、前記内周側面には環状の溝また山が設けられている座金であって、複数の部分部材に分割されており、この部分部材を組合わせたときに部分部材同士の間に間隙が生じることを特徴とするものである。
【０００８】上述の目的を達成するために、本発明の締結部材は、ボルトと座金より構成される締結部材であって、ボルトはネジ部と頭部の間に環状の溝また山が設けられているものであり、座金は、前記ボルトが入る穴を構成する円柱面状の内周側面と、円錐面状の外周側面とを有し、前記内周側面にはボルトの溝または山と係合する環状の溝また山が設けられていて、複数の部分部材に分割されており、この部分部材を前記ボルトの外周にて組合わせたときに部分部材同士の間に間隙が生じるものである。
【０００９】また、上述の目的を達成するために、本発明の建設機械の回転軸の接続装置は、オスカップリングとメスカップリングおよびこのオスカップリングとメスカップリングを締結するボルトと座金を有する建設機械の回転軸の接続装置であって、オスカップリングの内壁の一部およびメスカップリングの外壁の一部は相互に接する非円柱面状の合わせ面を有し、メスカップリングには前記ボルトが入るネジ穴が設けられており、オスカップリングには前記ネジ穴と同軸に通し穴が設けられており、この通し穴には外周側の入口に外側に開くテーパー面があるのもであり、ボルトはネジ部と頭部の間に環状の溝また山が設けられているものであり、座金は、前記ボルトが入る穴を構成する円柱面状の内周側面と、前記通し穴のテーパー面と係合する円錐面状の外周側面とを有し、前記内周側面にはボルトの溝または山と係合する環状の溝また山が設けられていて、複数の部分部材に分割されており、この部分部材を前記ボルトの外周にて組合わせたときに部分部材同士の間に間隙が生じることを特徴とするものである。前記非円柱面状の合わせ面は、平面とすることができる。
【００１０】
【発明の実施の形態】以下、本発明の実施の形態について説明する。図１は締結部材を示す平面図である。ここでは、部材Ａと部材Ｂを締結部材１で締結した状態を示している。この締結部材は、座金２とボルト３により構成されている。部材Ａにはボルト３が入るねじ穴４と、このネジ穴４に続く通し穴５が設けられている。通し穴５はネジ穴４より大きい径であり、平面状の底面５ａと外部に開いたテーパー状の側面５ｂを有する。部材Ｂには部材Ａのネジ穴４と同軸に通し穴６が設けられており、この通し穴６で部材Ａと向いた側の出口が外に向いて狭くなっていくテーパー面６ａが設けられている。そして、このテーパー面６ａは通し穴５の側面５ｂとともに連続な円錐面を構成するような形状になっている。
【００１１】図２にこのボルト３の平面図を示す。ボルト３はネジ部３１と頭部３２を有するが、さらにネジ部３１と頭部３２の間に環状の山３３が設けられている。
【００１２】図３には座金２の断面図を示す。座金２は分割された複数の部分部材２１ａ、ｂからなり、組み合わされた状態では略円環状の外形を有する。上面２２および下面２３は軸に垂直な平面であり、外周側面２４は円錐面となっている。一方、内周側面２５は円柱面であるが、一部には環状の溝２６が設けられている。この内周側面２５の径はボルト３のネジ部の径とほぼ同じであり、内周側面によって作られる中心部の空間にボルト３が入るようになっている。また、ボルト３の環状の山３３と座金２の環状の溝２６は互いに係合する形状となっている。
【００１３】次に、この締結部材１の作用について説明する。ボルト３の環状の山３３と座金２の環状の溝２６を係合させるようにして、座金２をボルト３の周囲に取付ける。座金２は複数の部分部材２１に分割されているので、各部分部材２１をボルト２の側面から容易に取り付けることができる。ここでは、１個の座金２は２個の部分部材２１に分割されている。２分割とすることで、部分部材の数を最小とし、さらに、ボルト３への取付け作業も少なくできる。しかし、分割数が３以上とすることもできる。ここで、１個の座金２を構成する全ての部分部材２１（この例では２個）を取付けたとき、部分部材２１ａと部分部材２１ｂの間には間隙が生じるようになっている。また、座金２の上面２２は、ボルト３の頭部の下面３１ａに当接するようになっている。
【００１４】ついで、部材Ａのネジ穴４と部材Ｂの通し穴６を合わせ、座金２が取付けられたボルト３により締結する。座金２の外周側面２４は、部材Ａの通し穴の側面５ｂおよび部材Ｂの通し穴のテーパー面６ａに当接する形状になっている。また、座金２の下面２３は、部材Ａの通し穴の底面５ａとほぼ同じ径である。したがって、ボルト３を取付けたときに、座金２は部材Ａと部材Ｂの接する部分にできた円錐状の穴にすっぽり入ることになる。この状態でボルト３を十分に締めれば、部材Ａと部材Ｂとは強固に締結される。
【００１５】このようにして締結した状態で、部材Ａと部材Ｂを相互にずらすような力が加わった場合について説明する。例えば、図１に示すように部材Ａと矢印Ａの方向に、部材Ｂを矢印Ｂの方向にずらそうとする力が加わったとする。ここで、部材Ｂと締結部材１は相互に係合する円錐面で接しているので、ボルト３と座金２を介して部材Ｂに加わる力は、テーパー面６ａの全体に平均的に加えられることになる。したがって、部材Ｂの通し穴６は円形を保ったまま径が若干広がるような変形を受けることになり、矢印Ｂの方向のみに細長くなるような変形は受けない。したがって、このような力が繰り返しかけられても、通し穴６の変形は小さい。また、座金２は分割された部分部材２１で構成されていて、かつ、部分部材２１間に間隙が設けられているので、通し穴６が多少変形しても、間隙が増減することによりこの変形に追随し、座金２の外周側面２４は通し穴６に良好に接触した状態を保ち続ける。したがって、図１に示すような力やその反対向きの力がかかっても、ボルト３は斜めになることはなく、破損しにくい。
【００１６】
【実施例１】つぎに、本発明の第一の実施例について説明する。この実施例は本発明を建設機械の回転軸の接続に適用した例である。回転する部材の一端に設けられたオスカップリングと別の部材の一端に設けられたメスカップリングの組合わせによる接続を行うものである。
【００１７】図４はオスカップリングの正面図である。このオスカップリング４０は、直径１０２ｍｍの略円柱状の外周面を有するが、外周の一部には円柱面でない形状の面を有する部分がある。本実施例では略正方形状の断面を構成する４つの長方形平面４１が設けられている。この長方形平面４１が、後述するメスカップリングとの非円柱面の合わせ面となる。また、外周面には４本のＭ２７×Ｐ２０のネジ穴４が９０度ごとに設けられている。この４本のネジ穴４のうち、対向する一対のネジ穴の軸は同一断面上に存在するが、他の一対のネジ穴の軸はこれより若干ずれた断面上に存在する。本例においてはこのずれは１７ｍｍである。
【００１８】図５にネジ穴４の断面図を示す。各ネジ穴４の外側には同軸に通し穴６が設けられいる。通し穴６の底面６ａは円形平面であり、側面６ｂは外に開いた円錐面になっている。この円錐面の傾斜角は８度になっている。
【００１９】オスカップリング４は中心部が中空になっており、第一流体通路４２を構成する。また、その外部に４本の連続した穴が４本のネジ穴５の間を通して設けられていて、第一流体通路４２とは独立した第二流体通路４３を構成する。
【００２０】図６はメスカップリングの正面図である。メスカップリング５０は略円筒状の部材であり、内周面はオスカップリング４０の外周面と係合する円柱面を有する。内周面にはさらに、円柱面でない形状の面を有する部分がある。本実施例ではやはり、略正方形状の断面を構成する４つの長方形平面５１が設けられている。この長方形平面５１は、オスカップリング４０の長方形平面４１と係合する形状になっており、これらの面によってオスカップリング４０とメスカップリング５０が接する非円柱面の合わせ面となっている。このように非円柱面の合わせ面を設けることにより、回転軸を正逆どちらの方向に回転させても、オスカップリング４０とメスカップリング５０が相対的に回転することができなくなる。非円柱面のうち長方形平面が形成が容易で便宜であるが、相対的な回転を防止できるものなら他の面形状でもよく、たとえば、合わせ面を相互に係合する山と溝にしてもよい。なお、合わせ面を相互に係合する雄ネジと雌ネジにすることは、本発明においては非円柱面の合わせ面に含めない。ネジが締まる方向の回転のときは問題ないが、その逆方向の回転の際にはネジはゆるまることになり、正逆両方向に力がかかるような場合に適用できなくなるからである。
【００２１】また、メスカップリング４０には４本の通し穴６が設けられている。この通し穴の内周側の出口には外に向かって狭くなるテーパー面６ａが設けられている。この４本の通し穴６は、オスカップリング４０とメスカップリング５０を係合させたときに、オスカップリング４０の４本のネジ穴５と位置が合うように設けられている。
【００２２】相互に軸方向にそって、オスカップリング４０とメスカップリング５０の着脱は容易に行える。オスカップリング４０とメスカップリング５０を係合させたら、座金２を取付けたボルト３をオスカップリング４０の通し穴６およびメスカップリング５０のネジ穴４に通して締結し、オスカップリング４０とメスカップリング５０を軸方向にずれないように固定する。
【００２３】以上のようにオスカップリング４０とメスカップリング５０を介して２本の回転軸が接続される。非円柱面状の合わせ面を有するので、正逆どちら方向の回転においても、２本の回転軸が相対的に回転することはない。また、ボルト３によって軸方向のずれも防止されており、ボルト２とメスカップリング５０の通し穴６は円錐面状の外周側面を有する座金２を介して接続されているので、接合部に引っ張りや圧縮の荷重が繰り返されても、通し穴６が軸方向に細長く延びることはなく、ボルト２は軸に垂直な状態を維持するので破損しにくい。オスカップリング４０に設けられた第一流体通路４２と第二流体通路４３を介して接続されるので、二重管など２系統の流路を有する回転軸同士を接続することができる。
【００２４】
【実施例２】次に本発明の第二の実施例について説明する。本発明を軟弱地盤の改良のための建設機械に適用した例であり、接続部分の基本的な構造に関しては第一の実施例と同じである。
【００２５】図８に本実施例の建設機械を示す。作業台車６０は無限軌道６１を備えて自走可能であり、工事現場において装置全体を容易に移動させることができるものである。作業台車６０には上下動可能なアーム６２を介してリーダー６３が取り付けられている。リーダー６３はチャック６４を上下に移動可能に取り付けるスライド式の取り付け装置である。施工場所に作業台車６０を移動させたら、アーム６２の角度を調整してリーダー６３を垂直に立てる。チャック６４に最上段の中間ロッド６５を通し、チャック６４で中間ロッド６５をつかむ。最上段の中間ロッド６５の上にスィベル６６がつながれ、最下段の中間ロッドの下に土壌掘削工具６７が接続される。チャック６４は油圧駆動により中間ロッド６５を正逆両方向に回転させることができる。すなわち、中間ロッド６５はチャック６４の回転を先端の土壌掘削工具６７に伝達する駆動軸の働きをする。スィベル６６に注入剤ホース６８と空気ホース６９とが接続され、それぞれのホースは図示しないプラントのグラウトポンプとコンプレッサーにつながれる。スィベル６６、中間ロッド６５および土壌掘削工具６７は、それぞれ二重管構造であるが、空気および注入剤の通路がつながるよう接続される。
【００２６】図９は土壌掘削工具６７の一例を示す正面図である。土壌掘削工具６７は先端に先導管７０を有し、この先導管７０の先端部分には切削チップ７１が設けられている。この切削チップ７１により地盤を切削しながら、先導管７０が地中に入っていく。先導管７０に続いて軸体７２が設けられ、その周囲にらせん状羽根７３が設けられている。軸体７２は中空となっているが、図９に示すようにらせん状羽根７３が設けられている部分は、軸方向に沿って中央部が太く両端部が細くなるように構成されている。ここでは、図９に示すように円筒の両側に円錐を接続したような形状になっており、両端部から中央部へ向かって径が大きくなっている。そして、らせん状羽根７３の外周も、両端部から中央部へ向かって全体として径が大きくなっている。図９に示す例においてらせん状羽根７３の最大径は１０００ｍｍである。また、軸体７２の長さは約８００ｍｍで、中央部分の約１６０ｍｍは一定の太さとなっており、上下の約３２０ｍｍの範囲において軸径は約１４０ｍｍから約４００ｍｍへと一定の割合で変化しており、そのテーパー角は２２°程度である。後述するように軸体７２のテーパー角はらせん状羽根７３が地中を進行する場合にスムーズに土砂を後方に送るため有用な機能を有するが、かかる機能を十分に発揮するためには２２°程度にするのが好ましい。らせん状羽根７３は軸方向に１６０ｍｍ進むごとに一周するようなピッチになっており、軸体７２の長さに沿って５周している。軸体７２がテーパー状になっている範囲ではらせん状羽根５の外径は中央部に向かって一定の割合で大きくなっている。一方、軸体７２の太さが一定である範囲では、らせん状羽根７３の外径も一定となっている。本例においてはらせん状羽根７３は外径が最大の状態で完全に一周しており、下側より見れば外形は完全な円形を形成しているため、掘り進めていくときに軸はぶれることなく真直ぐに進んでいく。
【００２７】軸体７２は中空となっているが、内部には内管が設けられており、内管は注入剤噴射ノズル７５（注入剤排出口）へつながっている。注入剤噴射ノズル７５は軸体７２の最も径が大きい位置において外へ向かって設けられている。軸体７２と内管の間の隙間は圧縮空気の通路となり、先導管７０の先端に設けられた空気噴出口７６より圧縮空気が噴出できるようになっている。
【００２８】らせん状羽根７３の上下面にはそれぞれ長方形の板状の爪７４が複数取り付けられている。爪７４は軸体７２を中心とする円周に接する方向に、すなわち、爪７４の板厚の方向が半径方向になるように設けられている。この方向で取付けることにより排泥の発生がより起こりにくくなる。図１０はこの爪７４の拡大斜視図である。爪７４の長方形の形状のうち、一つの角が面取りされている。この面取りは、角を直線で切り落とすのでもよいし、丸みをつけるのでもよい。この面取りされた角は、らせん状羽根７３の回転方向にあわせて向けられる。本例では、掘り進む際は正回転方向に回転するが、らせん状羽根７３の上面に設けられた爪７４ｂはこの回転方向に向いた側に面取りされた角を向けて取り付けられる。土壌掘削工具６７を引き上げるときは、逆方向に回転するが、らせん状羽根７３の下面に設けられた爪７４ａはこのときの進行方向に向いた側に面取りされた角を向けて取り付ける。このように向けることにより、掘り進めるときはらせん状羽根５の下面に設けられた爪７４ａが鋭く土壌にくい込みながら土壌を効果的に撹拌し、一方、上面に設けられた爪７４ｂは切削・撹拌された土壌を滑らかに後方へ送り、こぶし程度の大きさの石が混ざっていても噛み込みにくくなっている。逆に、引き上げるときはらせん状羽根７３の上面に設けられた爪７４ｂが効果的に土壌を切削・撹拌し、下面に設けられた爪７４ａが土壌を滑らかに後方へ送る。
【００２９】図１１はスィベルの断面図である。スィベル６６の上部は非回転部７７であり、回転しない。非回転部７７には注入剤導入口７８と空気導入口７９が側面に設けられている。非回転部７７に対して回転自在に回転部８０がベアリング８１を介して取り付けられている。回転部８０は内管８２と外管８３から構成される二重管構造になっている。内管８２は中空となっており、この中空部が注入剤通路８４を構成する。注入剤通路８４は注入剤導入口７８から導入された注入剤が通過できるようにつながっている。内管８２と外管８３の間にも隙間が設けられており、この隙間が空気通路８５を構成する。空気通路８５は空気導入口７９から導入された空気が通過できるようにつながっている。
【００３０】図１２に本実施例に係る接続装置の断面図を示す。接続装置はオスカップリング４０とメスカップリング５０の組み合わせにより構成される。また、中間ロッド６５は前述のスィベル６６と土壌掘削装置６７をつなぐものであるが、この中間ロッド６５の一端にオスカップリング４０が、他端にメスカップリング５０が溶接されている。従って、オスカップリング４０とメスカップリング５０を組み合わせることにより、２本の中間ロッドが接続されることになる。ここで、オスカップリング４０の内壁の一部およびメスカップリング５０の外壁の一部は断面が四角の形状になっており、この四角面が合わせ面として相互に接する。つまり、この合わせ面はオスカップリング４０とメスカップリング５０とを相互に回転しないように結合させる回転防止機構として機能する。また、オスカップリング４０とメスカップリング５０は座金２が取付けられた４本のボルト３により軸方向のずれが生じないように固定されている。
【００３１】メスカップリング５０及び中間ロッド６５は、スィベルの回転部８０と同様に内管と外管よりなる二重管構造になっている。スィベル６６および土壌掘削工具６７の端部にも同様の構造のオスカップリング又はメスカップリングが設けられ、中間ロッド６５に接続できるようになっている。また、スィベル６６の下部に設けられらオスカップリングは中間ロッド６５に設けられているオスカップリング４０と係合する部分は共通であり、中間ロッド６５のメスカップリング５０がそのまま接続できるようになっている。中間ロッド６５の外径は排泥の発生をより抑えるために６０〜２５０ｍｍの範囲内にするのが好ましく、本例においては約１４０ｍｍとなっている。中間ロッド６５の長さは、作業の効率や施工時の設備の高さを考慮して決められるが、６ｍ、４ｍ、２ｍと複数の長さのものを備えておくと、様々な施工条件に対応できる汎用性の高いシステムとなる。
【００３２】土壌掘削工具６７により掘り進めるときには、コンプレッサーで空気を送り土壌掘削工具６７の先端より噴出するとともに、土壌掘削工具６７のらせん状羽根７３が下向きに進行するよう回転させる。ある程度掘り進めたら、中間ロッド６５を継ぎ足して、さらに深く掘り進める。らせん状羽根７３の上面の爪７４ｂは進行方向側が切りかかれているので、石が混じっている土壌でも土砂を滑らかに後方へ送る。また、切削した土砂を滑らかに後方に送るために、らせん状羽根７３の外周は先端から中央部に向かって径が広がり、また上部へ向かって径が小さくなる形状になっている。土壌掘削工具６７では、前記軸体７２でらせん状羽根７３が取り付けられる部分は軸方向に沿って中央部が太く両端部が細くなる。そのため、中央部においてもらせん状羽根７３および軸体７２は強固であり、また掘り進みながらスムーズに土砂を後方に送るため、施工中に土壌掘削工具６７が地中で破損しにくくなり、比較的硬い地盤や粘土質の場所でも施工ができる。
【００３３】最終深さまで掘り進めたら、チャック６４の回転方向を逆にして、らせん状羽根７３が上向きに進行するよう回転させながら、土壌掘削工具６７を引き上げる。この際、注入剤ホース６９より注入剤を導入し、土壌掘削工具６７の注入剤排出口７６より注入剤を地中に注入する。引き上げ時にはらせん状羽根７３の上面の爪７４ｂが土砂を撹拌する。らせん状羽根７３の下面の爪７４ａは逆回転時における進行方向側が切りかかれているので、同様に土砂を滑らかに後方へ送る。そして、この建設機械においては、土砂の機械的撹拌と注入剤の噴出による土砂の撹拌が同時に行われ、切削された土砂と注入剤は効率的に混合される上、切削された土砂が排泥として地上に排出されることがない。引き上げるときは、掘り進めるときとは逆に、中間ロッド６５を順次取り外しながら作業を進める。所定の高さまで引き上げたら注入剤の注入を停止して、土壌掘削工具６７を引き上げる。このようにして一つの穴の施工が完了したら、作業台車６０を次の位置に移動させ、同様の施工を繰り返す。
【００３４】施工においては、掘り進むときは中間ロッド６５を継ぎ足していき、引き上げるときは中間ロッド６５を取り外していくので、地上に出ている部分は常に低く抑えられており、転倒防止のための支持体を広げる必要もないので、施工が容易であるとともに、狭い場所や地盤が弱いところでも施工ができる。
【００３５】この実施例の建設機械においては、正逆両方向での回転においても土壌の撹拌が行われるために、大きな接続部分には大きなトルクがかかるが、どちらの方向の回転においても接続部分はゆるむことはない。また、施工中には土壌掘削工具の上下動が頻繁に繰り返され、接続部分にも引っ張り荷重および圧縮荷重が繰り返し加わるが、メスカップリング５０の通し穴６が軸方向に沿って細長く伸びることは生じないため、ボルト３の破損が発生せず、各回転軸は強固に接続された状態を維持する。
【００３６】
【発明の効果】本発明によれば、接続すべき２つの部材の一つに設けられた通し穴のテーパーと座金の円錐面状の外周側面の接触を介してボルトが締結されるために、２つの部材を相互にずらすような力が接続部分にかかっても、通し穴が細長く伸びることは生じず、ボルトは垂直な状態を維持し、斜めになるように振り回されて折れるということがおこらなくなる。したがって、耐久性・信頼性が高い接続が実現できる。
【図面の簡単な説明】
【図１】締結部材の正面図である。
【図２】ボルトの正面図である。
【図３】座金の断面図である。
【図４】オスカップリングの正面図である。
【図５】同断面図である。
【図６】メスカップリングの正面図である。
【図７】同断面図である。
【図８】建設機械を示す正面図である。
【図９】土壌掘削工具の正面図である。
【図１０】土壌掘削工具の爪の斜視図である。
【図１１】スィベルの断面図である。
【図１２】接続装置の詳細を示す断面図である。
【符号の説明】
１．締結部材
２．座金
３．ボルト
４．ネジ穴
５．通し穴
６．通し穴
２１．部分部材
２４．外周側面
２５．内周側面
２６．環状の溝
３１．ネジ部
３２．頭部
３３．環状の山
４０．オスカップリング
４１．長方形平面
５０．メスカップリング
５１．長方形平面
６０．作業台車
６５．中間ロッド
６６．スィベル
６７．土壌掘削工具＾
【図１】
2004278766.tif 000003
【図２】
2004278766.tif 000004
【図３】
2004278766.tif 000005
【図４】
2004278766.tif 000006
【図５】
2004278766.tif 000007
【図６】
2004278766.tif 000008
【図７】
2004278766.tif 000009
【図８】
2004278766.tif 000010
【図９】
2004278766.tif 000011
【図１０】
2004278766.tif 000012
【図１１】
2004278766.tif 000013
【図１２】
2004278766.tif 000014